(57)【要約】【課題】通信が可能な位置合わせを支援するガイドを表示することで、ユーザが容易に無線通信を行える無線通信装置及びその制御方法を提供する。【解決手段】無線通信装置は、無線通信のためのアンテナ部と、撮像するための撮像部と、撮像部で撮像している画像を表示画面にリアルタイムに表示する表示部と、相手無線通信装置のアンテナの位置を自身のアンテナの位置に合わせるためのガイドを上記リアルタイムな表示に合成させて表示部に表示するガイド表示部とを備える。ここで、ガイド表示部は、表示画面上に、アンテナの位置に対応する表示位置を図形によって示すことによりアンテナの位置合わせのためのガイドを行う。【選択図】  図５
2010109594.tif 000002
【特許請求の範囲】
【請求項１】
無線通信のためのアンテナと、
撮像するための撮像手段と、
前記撮像手段で撮像している画像を表示画面にリアルタイムに表示する撮像表示手段と、
相手無線通信装置のアンテナの位置を前記アンテナの位置に合わせるためのガイドを前記撮像表示手段によるリアルタイムな表示に合成させて前記表示画面に表示するガイド表示手段とを備え、
前記ガイド表示手段は、前記表示画面上に、前記アンテナの位置に対応する表示位置を図形によって示すことにより前記ガイドを行うことを特徴とする無線通信装置。
【請求項２】
相手無線通信装置との距離を測定する測距手段を更に備え、
前記ガイド表示手段は、前記測距手段による測距結果に応じて、前記図形の表示形態を変更することを特徴とする請求項１に記載の無線通信装置。
【請求項３】
前記測距手段は、自動焦点機能を用いて前記相手無線通信装置との距離を測ることを特徴とする請求項２に記載の無線通信装置。
【請求項４】
前記ガイド表示手段は、前記アンテナの位置に対応する表示位置において、前記図形の大きさを前記測距手段による測距結果に基づいて変更することを特徴とする請求項２又は３に記載の無線通信装置。
【請求項５】
前記ガイド表示手段は、前記表示画面の所定の表示位置から前記アンテナの位置に対応する表示位置まで前記図形を移動させるとともに、当該図形の大きさを前記測距手段による測距結果に基づいて変更することを特徴とする請求項２乃至４のいずれか１項に記載の無線通信装置。
【請求項６】
前記ガイド表示手段は、前記表示画面の所定の表示位置から前記アンテナの位置に対応する表示位置まで前記図形を移動させるとともに、当該移動に伴って前記図形の大きさを徐々に大きくしていくことを特徴とする請求項１に記載の無線通信装置。
【請求項７】
前記ガイド表示手段は、前記表示画面の所定の表示位置から前記アンテナの位置に対応する表示位置までの間に複数の図形を並べて表示し、該複数の図形の大きさを前記所定の表示位置から前記アンテナの位置に対応する表示位置へ向かって徐々に大きくすることを特徴とする請求項１に記載の無線通信装置。
【請求項８】
前記撮像手段によって得られた画像において、前記相手無線通信装置のアンテナの位置を示すマークを認識するマーク認識手段と、
前記ガイド表示手段によって表示している前記図形の位置と前記マーク認識手段によって得られたマークの位置とを比較する比較手段とを更に備え、
前記ガイド表示手段は、前記比較手段による比較の結果に基づいて前記ガイドの進行を制御することを特徴とする請求項１に記載の無線通信装置。
【請求項９】
前記ガイド表示手段は、前記図形の位置と前記マーク認識手段によって得られたマークの位置との差があらかじめ定められた値を超える場合には、位置合わせ動作を再度行うように促すことを特徴とする請求項８に記載の無線通信装置。
【請求項１０】
前記ガイド表示手段は、前記図形と、前記撮像手段で撮像している画像の一部を拡大したものとを合成して表示することを特徴とする請求項１乃至９のいずれか１項に記載の無線通信装置。
【請求項１１】
前記ガイド表示手段は、前記図形の位置が前記表示画面の中央に位置するように前記画像の一部を拡大することを特徴とする請求項１０に記載の無線通信装置。
【請求項１２】
前記ガイド表示手段は、当該無線通信装置の動作モードが無線通信モードに遷移したときに起動することを特徴とする請求項１乃至１１のいずれか１項に記載の無線通信装置。
【請求項１３】
前記撮像手段は、当該無線通信装置の動作モードが無線通信モードに遷移した場合に、マクロ撮影モードで動作することを特徴とする請求項１乃至１２のいずれか１項に記載の無線通信装置。
【請求項１４】
前記ガイド表示手段は、前記無線通信による通信の最中に切断したことに応じて再度起動することを特徴とする請求項１乃至１３のいずれか１項に記載の無線通信装置。
【請求項１５】
前記撮像手段は、前記ガイド表示手段によって前記ガイドを行っている間に、撮像された画像の明度が所定値よりも低くなると、レンズ部を本体内に収納することを特徴とする請求項１乃至１４のいずれか１項に記載の無線通信装置。
【請求項１６】
無線通信のためのアンテナと、撮像するための撮像手段とを備えた無線通信装置の制御方法であって、
前記撮像手段で撮像している画像を表示画面にリアルタイムに表示する撮像表示工程と、
相手無線通信装置のアンテナの位置を前記アンテナの位置に合わせるためのガイドを前記撮像表示工程によるリアルタイムな表示に合成させて前記表示画面に表示するガイド表示工程とを有し、
前記ガイド表示工程では、前記表示画面上に、前記アンテナの位置に対応する表示位置を図形によって示すことにより前記ガイドを行うことを特徴とする無線通信装置の制御方法。
【請求項１７】
請求項１６に記載された無線通信装置の制御方法をコンピュータに実行させるためのプログラム。
【請求項１８】
請求項１６に記載された無線通信装置の制御方法をコンピュータに実行させるためのプログラムを格納したコンピュータ読み取り可能な記憶媒体。
【発明の詳細な説明】
【技術分野】
【０００１】
本発明は、無線通信装置同士が通信可能な位置関係になるように適切な位置合わせを支援するガイド機能を持った無線通信装置に関する。
【背景技術】
【０００２】
従来、機器間での近接無線転送を実行するものとしては、ＲＦＩＤ（RadioFrequency IDentification）や、ＮＦＣ（Near Field Communication）技術がある。また「TransferJet」と呼ばれる近接無線転送技術が存在する。この転送技術は、通信距離が短かく、近づけると通信を接続し、遠ざけると通信を切断するように制御できる。
【０００３】
上述のような近接無線転送技術を用いた無線通信装置では、通信を行う２つの無線通信装置のアンテナ同士を接近させる必要がある。一般に、無線通信装置のアンテナ実装面には無線通信が実装されていることを示すマークが付いており、ユーザはそのマークを目印に、２つの無線通信装置のアンテナを接近させて、通信を行わせている。
【０００４】
また、位置保持機構として磁石の吸引、フックやねじなどの機械的形状を利用して、位置合わせを確実に行うことが提案されている（特許文献１）。また相手の無線通信装置と接続を行って端末情報を受信し、その情報によって位置ガイドを外形映像で表示する機能を備えた装置を用いて位置合わせを確実に行うことが提案されている（特許文献２）。
【特許文献１】特開２００８−１０３９０２ 公報
【特許文献２】特開２００８−１４８１４８ 公報
【発明の開示】
【発明が解決しようとする課題】
【０００５】
しかしながら、従来のマーク付きの無線通信装置では、装置のマーク面を対向させるので、最後まできちんと目視できないという技術的課題が存在する。特許文献１及び特許文献２はこのような課題を解決する一手法を提案するが、特許文献１の技術では別途の支持機構が必要であり、特許文献２の技術では準備段階で接続して外形情報を取得する必要があるという技術的課題が存在する。
【０００６】
本発明は、上記の課題を鑑みてなされたものであり、通信が可能な位置合わせを支援するガイドを表示することで、ユーザが容易に無線通信を行える無線通信装置及びその制御方法を提供することを目的とする。
【課題を解決するための手段】
【０００７】
上記の目的を達成するための本発明の一態様による無線通信装置は以下の構成を備える。すなわち、
無線通信のためのアンテナと、
撮像するための撮像手段と、
前記撮像手段で撮像している画像を表示画面にリアルタイムに表示する撮像表示手段と、
相手無線通信装置のアンテナの位置を前記アンテナの位置に合わせるためのガイドを前記撮像表示手段によるリアルタイムな表示に合成させて前記表示画面に表示するガイド表示手段とを備え、
前記ガイド表示手段は、前記表示画面上に、前記アンテナの位置に対応する表示位置を図形によって示すことにより前記ガイドを行う。
【０００８】
また、上記の目的を達成するための本発明の一態様による無線通信装置の制御方法は、
無線通信のためのアンテナと、撮像するための撮像手段とを備えた無線通信装置の制御方法であって、
前記撮像手段で撮像している画像を表示画面にリアルタイムに表示する撮像表示工程と、
相手無線通信装置のアンテナの位置を前記アンテナの位置に合わせるためのガイドを前記撮像表示工程によるリアルタイムな表示に合成させて前記表示画面に表示するガイド表示工程とを有し、
前記ガイド表示工程では、前記表示画面上に、前記アンテナの位置に対応する表示位置を図形によって示すことにより前記ガイドを行う。
【発明の効果】
【０００９】
本発明によれば、通信が可能な位置合わせを支援するガイドを表示するので、ユーザは簡単な動作で無線通信を開始させることが可能となる。
【発明を実施するための最良の形態】
【００１０】
＜第１実施形態＞
第１実施形態では、静電結合方式を使用した近接無線通信を行う無線通信装置において、無線通信装置が相手無線通信装置と適切な状態で接続を行うためのガイド表示について説明する。以下では、図１、図３、図５、図７、図１１および図１３を参照して第１実施形態を説明する。
【００１１】
図１は、第１実施形態による無線通信装置１０１の構成例を示すブロック図である。また、図３は本実施形態による無線通信装置の外観と、アンテナ実装位置に対応して配置されたマークの例を示す図である。本実施形態における無線通信装置１０１は撮像部１０３と表示部１０７を有するデジタルカメラである。第１実施形態では、無線通信装置１０１における近接無線通信のためのアンテナを具備するアンテナ部１０２が、撮像部１０３のレンズ付近の位置３０２に実装されており、マーク３０１がアンテナ部１０２（のアンテナ）の位置を示している場合について説明をする。
【００１２】
測距部１０４は、無線通信装置１０１と相手側の無線通信装置との距離を測定する。本実施形態では、無線通信装置１０１の測距部１０４として撮像部１０３のためのオートフォーカスの測距機能を利用するが、これに限られるものではない。表示部１０７は、通常のデジタルカメラが備える液晶パネル等の表示画面を備えた表示器であり、各種メニュー表示やＥＶＦ（電子ビューファインダ）を提供する。ガイド表示部１０５は、図５の（ａ）〜（ｅ）に示すような、アンテナの位置合わせのための、表示部１０７に表示するべきガイドを生成する。合成部１０８は、撮像部１０３により撮影された画像のリアルタイムな表示（撮像表示）と、ガイド表示部１０５によるガイドの表示とを合成し、表示部１０７に表示する。無線データ送受信部１０６は、アンテナ部１０２を介して上記静電結合方式を使用した無線通信（近接無線通信）を実行する。
【００１３】
相手側の無線通信装置（以下、相手無線通信装置）としては、プリンタ、データストレージ等、種々の装置が考えられるが、本実施形態では、上述した無線通信装置１０１と同じ構成のデジタルカメラであるとする。
【００１４】
以下、上記構成を備えた本実施形態の無線通信装置１０１のユーザが、データを相手無線通信装置に送信するために無線接続をする場合のガイド表示部１０５及び合成部１０８によるガイド表示について、図７と図５を用いて説明する。なお、図５は、本実施形態によるガイド表示の一例を示す図である。また、図７は第１実施形態によるガイド表示の処理を説明するフローチャートである。
【００１５】
まずユーザは無線通信装置１０１の動作モードを無線通信モードにする（ステップＳ７０１）。なお、無線通信モードへの切り替えは、ユーザによるマニュアル操作に依存するのみならず、撮影が終わったら自動的に無線通信モードになるような構成としてもよい。無線通信モードに遷移すると、撮像モードがマクロ撮影モードとなる（ステップＳ７０２）。撮像部１０３における撮像モードをマクロ撮影モードとすることにより、相手無線通信装置に無線通信装置１０１を接近させた際に、相手無線通信装置（のマーク）に焦点が合いやすくなる。無線通信モードへの遷移に応じてガイド表示部１０５及び合成部１０８によるガイド表示が起動する。
【００１６】
次にガイド表示部１０５は、図５の（ａ）に示すように、ガイド枠５０１とメッセージ５０２（相手マークを枠の中に入れてください）を表示部１０７に表示し（ステップＳ７０３）、ユーザに操作を促す。なお、ガイド表示は、無線通信装置１０１の撮像部１０３が撮った画像とガイド表示部１０５で作成したガイドを合成部１０８で合成したものを表示部１０７で表示することで実現される。ここで、ユーザ操作のための時間を取るために、ステップＳ７０３からステップＳ７０４へ移行するまでの時間差を提供するべく、タイマを起動する構成も考えられる。
【００１７】
ユーザは表示部１０７に表示されたガイドに従って相手無線装置のマークをガイド枠５０１の中に入れる動作を行う。図５の（ｂ）、（ｃ）はそのような操作を行った際の表示部１０７における表示の様子を示している。なお、合成部１０８により、表示部１０７には撮像部１０３による撮像処理によって得られた画像とガイド枠５０１とが合成されて表示されている。続いて無線通信装置１０１のガイド表示部１０５は、図５の（ｃ）に示されるように、メッセージ５０３（近づけてください）を表示部１０７に表示する（ステップＳ７０４）。ここで、ガイド表示部１０５は、測距部１０４により相手無線通信装置との距離を測定し、通信接続を行う距離に至るまで、測距結果に基づいて表示するガイド枠５０１の大きさを変える（ステップＳ７０５，Ｓ７０６、図５の（ｄ）、（ｅ））。ここではアンテナ部１０２の位置はレンズ付近（図３）なので、ガイド表示部１０５はガイド枠５０１を中央付近に表示し、相手無線通信装置との距離に関連してガイド枠５０１の大きさを変える。
【００１８】
図１１は相手無線通信装置との距離が遠い状態から近い状態へ移行している様子を描いたものである。測距部１０４による測距の結果、相手無線通信装置との距離が遠いと判断されたら、図１１の（ａ）において図示しているようにガイド表示部１０５はガイド枠５０１を中央に小さく表示する。同様にして距離が近づいてきたら、図１１の（ｂ）で図示しているようにガイド枠５０１を表示部１０７の中央に徐々に大きくして表示する。更に近づくとガイド枠５０１は更に大きくなる（図１１の（ｃ））。なお、図５の（ａ）〜（ｆ）や図１１の（ａ）〜（ｃ）において破線で示したアンテナマーク５１０は、アンテナ部１０２の存在位置を示したものであり、実際には表示されなくてもよい。
【００１９】
測距部１０４の測距結果により相手側無線通信装置に十分に近づいていないと判断された場合（ステップＳ７０５でＮＯ）は、前述のとおりガイド枠５０１のサイズを測距結果に基づいて変化させる（ステップＳ７０６）。一方、無線通信装置１０１が相手無線通信装置に十分に近づいたと判断された場合（ステップＳ７０５でＹＥＳ）は、無線通信装置１０１のアンテナ部１０２と相手無線通信装置のアンテナ部の位置が合ったと判断し、接続処理を行う（ステップＳ７０７）。このとき、表示部１０７における表示を図５の（ｆ）のように変更し、接続中であることを示すようにする。また、アンテナ位置が合ってレンズ部分が相手無線通信装置に接触すると撮像画像は暗くなる。従って、無線通信装置１０１が沈洞式レンズを備えている場合は、撮像画面の明度が所定値より下がったのを検知して、レンズを本体内に収納するように制御してもよい。
【００２０】
以上のように、本実施形態によれば、撮像画像をリアルタイムに表示する表示画面上の、アンテナの位置に対応する表示位置を所定の図形（例えばガイド枠５０１）によって示すことにより、アンテナの位置合わせのためのガイドが行われる。そのため、ユーザは、表示部１０７にリアルタイムに表示される撮像画像中の相手無線通信装置のアンテナ位置を示すマークを、所定の図形によって示される表示位置へ移動させることでアンテナの位置合わせを行える。したがって、ユーザは、正確なアンテナの位置合わせを容易に行える。
【００２１】
また、相手無線通信装置との距離を測定する測距部１０４による測距結果に基づいて、所定の図形の大きさを変更することにより機器間の距離に関するガイドが行われるので、より操作性が向上する。なお、ガイド表示部１０５は、測距部１０４による測距結果に応じてそのサイズを変更する例を説明したが、図形の形や色、或いはそれらの組み合わせによりを図形の表示形態を変更するようにしてもよい。また、表示位置を変更してもよい。
【００２２】
以上、本実施形態の無線通信装置でガイド表示を行い、最適な位置で接続をする動作の説明を行ったが、測距のための構成はオートフォーカス機能（自動焦点機能）以外の構成も適用可能である。また、測距のための構成がない場合でもガイド可能であり、例えば図１３のように大きさの異なる複数のガイド枠１３０１でガイドすることも可能である。その場合、シールなどで表示部１０７にガイド枠を貼付してもよい。或いは、測距結果を用いずに、図形（ガイド枠５０１）の大きさを所定のスピードで徐々に大きくしていくようにしてもよい。また、相手無線通信装置は、少なくともマークを備えていればガイド可能である。さらに、通信中に何らかの原因によって通信が切断された場合、再度通信を行うために上述したガイドを再度起動するように構成してもよい。また、図７の処理では、両無線通信装置が十分に近づいたことを検出しているが、アンテナ同士が近づいたかを直接検出してはいない。したがって、ステップＳ７０７における接続処理は失敗する可能性もあり、接続処理に失敗した場合は、例えば、ガイドを再度起動する様に構成してもよい。これは後述の第２実施形態（図８のステップＳ８０７）においても同様である。
【００２３】
以上のように、第１実施形態によれば、ユーザは画面上の指定された位置に相手通信装置のマークを合わせることにより、近接無線通信ができる配置となり、無線通信装置における接続性や利便性が向上する。
【００２４】
＜第２実施形態＞
第２実施形態では、静電結合方式を使用した無線通信装置において、マークの位置が撮像部１０３のレンズから離れている場合のガイド表示について説明する。なお、第２実施形態による無線通信装置の構成は図１により説明したとおりである。以下では、図４、図６の（ａ）〜（ｆ）、図８、図１２の（ａ）〜（ｃ）および図１４を用いて、第２実施形態によるガイド表示を説明する。
【００２５】
図４は第２実施形態における無線通信装置の外観と、アンテナ実装位置に対応して配置されたマークの例を示す図である。第２実施形態では、無線通信装置１０１のアンテナ部１０２が、撮像部１０３のレンズから離れた位置４０２に実装されており、マーク４０１がその位置を示している場合について説明をする。また、相手無線通信装置も無線通信装置１０１と同じ構成であるとする。無線通信装置１０１の測距部１０４としては、オートフォーカスの測距機能を使うとする。
【００２６】
図６は、第２実施形態によるガイド表示の一例を示す図である。図８は、第２実施形態による無線通信装置におけるガイド表示のための処理を説明するフローチャートである。以下、図８と図６を参照して、無線通信装置１０１のユーザがデータを無線通信装置１０１から相手無線通信装置に送信するために無線接続をする場合の、第２実施形態によるガイドについて説明を行う。
【００２７】
無線通信装置１０１の動作モードを無線通信モードにするところから、メッセージ５０３（近づけてください）を表示するまでの処理（ステップＳ８０１〜Ｓ８０４）は、第１実施形態（ステップＳ７０１〜Ｓ７０４）と同様である。また、図６の（ａ）〜（ｃ）に示されるガイド表示も、第１実施形態（図５の（ａ）〜（ｃ））に関して説明したとおりである。なお、６１０で示されるアンテナ位置は、本実施形態の無線通信装置１０１におけるアンテナ位置を仮想的に示したものである。
【００２８】
第２実施形態では、図６の（ｃ）〜（ｅ）に示されるように、測距部１０４により、相手無線通信装置との距離を測定し、その測距結果によりガイド表示部１０５で表示するガイド枠５０１の位置および大きさを変える。第２実施形態ではアンテナ部１０２の位置が撮像部１０３のレンズから離れているので、相手通信装置との距離が短くなるに連れて中央付近から徐々にアンテナ部１０２の実装位置４０２に近づくようにガイド枠５０１を移動させる。なお、相手無線通信装置との距離は、第１実施形態と同様にガイド枠５０１の大きさを変えることで示される。
【００２９】
図１２は相手無線通信装置との距離が遠い状態から近い状態へ移行していく際の、ガイド枠５０１の表示状態を説明する図である。測距部１０４による測距結果から相手無線通信装置との距離が遠いと判断された場合は、図１２の（ａ）に示しているようにガイド表示部１０５はガイド枠５０１を中央に小さく表示する。無線通信装置１０１と相手無線通信装置との距離が近づくにつれて、図１２の（ｂ）、（ｃ）に示すように、ガイド枠５０１を徐々にサイズを拡大しながらアンテナ部１０２の実装位置の方向へ移動していく。
【００３０】
ガイド表示部１０５は、測距部１０４の測距結果により、アンテナ部１０２が相手無線通信装置に十分近づいていないと判断した場合は、ステップＳ８０５からステップＳ８０６へ処理が進む。ステップＳ８０６では、前述のとおりガイド枠５０１の大きさを変更すると共に、アンテナ部１０２寄りにその位置を変化させる。一方、測距結果に基づいてアンテナ部１０２が相手無線通信装置に十分近づいたと判断した場合は、ステップＳ８０５からステップＳ８０７へ処理が進む。ステップＳ８０７では、無線通信装置１０１のアンテナ部１０２と相手無線通信装置のアンテナ部との位置が合ったと判断され、無線データ送受信部１０６による接続処理を開始する。このとき、表示部１０７における表示は、図６の（ｆ）となる。また、第１実施形態と同様に、無線通信装置１０１が沈洞式レンズを備えている場合は、撮像画面の明度が下がったのを検知してレンズを本体内に収納するように制御してもよい。
【００３１】
以上のように、第２実施形態のガイド表示部１０５は、表示部１０７の表示画面における所定の位置（例えば中央部）からアンテナ部１０２の位置に対応する表示位置まで図形（ガイド枠５０１）を移動させる。そして、この移動の最中に、当該図形の大きさを測距部１０４による測距結果に基づいて変更する。第２実施形態によれば、アンテナ部１０２の実装位置が撮像部１０３のレンズから離れていても、アンテナ位置合わせのための適切なガイドを実現することができる。
【００３２】
以上、第２実施形態によるガイド表示を用いて、無線通信装置１０１を最適な位置で接続をする動作の説明を行った。なお、上記実施形態において、測距部１０４はオートフォーカスの機能を用いたが、これに限定されるものではない。また、測距部１０４を設けなくともガイドは可能であり、例えば、図１４のように大きさの異なる複数のガイド枠１４０１を表示部１０７に表示することでガイドすることも可能である。即ち、表示画面の所定の表示位置からアンテナの位置に対応する表示位置までの間に複数の図形を並べて表示し、それらの図形の大きさをアンテナの位置に対応する表示位置へ向かって徐々に大きくしていく。その場合、シールなどで表示部１０７にガイド枠を貼付してもよい。或いは、測距結果を用いずに、表示画面の所定の表示位置からアンテナの位置に対応する表示位置まで図形を所定のスピードで移動させるとともに、その移動に伴って図形の大きさを徐々に大きくしていくようにしてもよい。
【００３３】
また、上記各実施形態において、相手無線通信装置は無線通信装置１０１と同じ構成としたが、少なくともマークを備えていればガイド可能であることは明らかである。さらに、近接無線通信中に何らかの原因によって通信が切断された場合、再度通信を行うために、上述したガイドを再度実行するように構成するとも可能である。
【００３４】
＜第３実施形態＞
以下、静電結合方式を使用した無線通信装置における、第３実施形態による近接無線通信のためのガイド表示について説明する。以下、図２、図３、図５、図９および図１３を用いて説明を行う。
【００３５】
図２は第３実施形態による無線通信装置１０１の構成例を示すブロック図である。第３実施形態の無線通信装置１０１には、計時部２０１とマーク認識部２０２とが設けられている。計時部２０１は、ガイド表示に応じた操作がユーザによって実施されているかを判定するためのタイマを管理する。マーク認識部２０２は、画像認識技術により、撮像部１０３によって得られた画像において相手通信装置のアンテナの位置を示すマークを認識する。計時部２０１及びマーク認識部２０２のより詳細な機能は以下の説明により明らかとなろう。また、第３実施形態では、図３に示されるように、無線通信装置１０１のアンテナ部１０２が、撮像部１０３のレンズ付近の位置３０２に実装されており、マーク３０１がアンテナ部１０２の位置を示している場合について説明をする。また相手無線通信装置も無線通信装置１０１と同じ構成である。
【００３６】
無線通信装置１０１のユーザが、データを相手無線通信装置に送信するために無線接続をする場合の、第３実施形態によるガイドについて、以下、説明を行う。図９は第３実施形態による、近接無線通信接続時のガイド表示処理を説明するフローチャートである。
【００３７】
無線通信装置１０１の動作モードを無線通信モードにするところから、メッセージ５０２（（相手の）マークを枠の中に入れてください）を表示するまでの処理（ステップＳ９０１〜Ｓ９０３）は、第１実施形態（ステップＳ７０１〜Ｓ７０３）と同様である。
【００３８】
ユーザはメッセージ５０２に従って相手無線装置のマークをガイド枠内に入れる動作を行う（図５の（ａ）、（ｂ））。計時部２０１は、ガイドタイマを起動し（ステップＳ９０４）、マーク認識部２０２はガイド枠５０１の中に相手無線通信装置のマークが入ったかを確認する（ステップＳ９０７）。その確認よりも早くガイドタイマが満了してしまった場合（ステップＳ９０５でＹＥＳ）、ガイド表示部１０５はメッセージ「ガイド表示を終了します」を表示部１０７に表示し（ステップＳ９０６）、その旨をユーザに通知する。なお、ここで、再度位置合わせを行うように制御してもよく、その場合はステップＳ９０３のメッセージ表示から始めるようにすればよい。マーク認識部２０２が、ガイド枠５０１の中に相手通信装置のマークが入ったことを確認すると、計時部２０１はガイドタイマを停止する（ステップＳ９０８）。
【００３９】
続いて、ガイド表示部１０５は、メッセージ５０３「（相手に）近づけてください」を表示（図５の（ｃ））し、ガイド表示部１０５で表示する（ステップＳ９０９）。そして、ガイド枠５０１の大きさを徐々に変える（ステップＳ９１０）。ここで撮像画像の一部を拡大して表示してもよい。なお、拡大は撮像画像のみについて行ってもよいし、撮像画像とガイド枠の両方について行ってもよい。撮像画像とガイド枠の両方について拡大を行ったほうが操作性が向上するであろう。また第１実施形態および第２実施形態のように測距部１０４を用いてもよい。本実施形態では、無線通信装置１０１におけるアンテナ部１０２の位置はレンズ付近なので、ガイド枠５０１は中央付近に表示され、その大きさを変えることでガイドを行うことができる。
【００４０】
無線通信装置１０１のマーク認識部２０２は、大きくなったガイド枠５０１の中に相手無線通信装置のマークが入ったかを確認する（ステップＳ９１１）。ガイド枠５０１にマークが入っていない場合、ガイド表示部１０５はメッセージ「ガイド表示をやり直します」を表示部１０７に表示し（ステップＳ９１２）、その旨をユーザに通知する。そして、ガイド表示部１０５はガイド枠５０１を元の大きさに戻す（ステップＳ９１３）。ここでガイド枠５０１の中にマークが入っていない場合（ステップＳ９１１でＮＯの場合）に、ガイド表示の終了を行うように制御してもよい。また、ステップＳ９０５、Ｓ９０７に関して説明したように、ガイドタイマを用いて制御してもよい。即ち、ステップＳ９１１において、ガイドタイマが満了するまでにマークがガイド枠に入らなかった場合にステップＳ９１２に処理が進むようにしてもよい。
【００４１】
マーク認識部２０２が、マーク３０１がガイド枠５０１に入ったことを確認すると、無線通信装置１０１のアンテナ部１０２と相手無線通信装置のアンテナ部の位置が合ったと判断され、接続処理が行われる（ステップＳ９１１、Ｓ９１４）。このとき無線通信装置１０１が沈洞式レンズを備えている場合、撮像画面の明度が下がったのを検知して、レンズをしまうように制御してもよい。
【００４２】
なお、上記説明では、ガイド枠５０１を徐々に大きくするものとしたが（ステップＳ９１０）、図１３のように大きさの異なる複数のガイド枠１３０１でガイドすることも可能である。その場合、シールなどで表示部１０７にガイド枠を貼付してもよい。シールの添付によりガイド枠を提示する場合は、無線通信装置１０１は上記制御においてガイド枠の表示を省略することができる。また、相手無線通信装置は、少なくともマークを備えていればガイド可能である。さらに、通信中に何らかの原因によって通信が切断された場合、再度通信を行うためにガイドを行うことも可能である。
【００４３】
以上のように、第３実施形態によれば、ガイド表示部１０５によって表示している図形（ガイド枠５０１）の位置とマーク認識部２０２によって得られたマークの位置とを比較し、その比較の結果に基づいてガイドの進行が制御される。即ち、ステップＳ９０７、Ｓ９１１において、処理は上記の比較の結果に基づいて分岐され、アンテナの位置合わせ他のためのガイドの進行が制御される。例えば、ステップＳ９１１では、図形の位置とマーク認識部２０２によって得られたマークの位置との差があらかじめ定められた値を超える場合（ガイド枠５０１に入っていない場合）には、位置合わせ動作を再度行うように促している。以上のように、第３実施形態では、相手無線通信装置のマーク位置を画像処理によって追跡してガイドを制御するので、より正確なガイドが可能である。なお、相手無線通信装置のマークとガイド枠との位置の差は、ガイド枠の重心位置とマークの重心位置の距離を用いるなど、様々な方法が考えられる。
【００４４】
＜第４実施形態＞
次に第４実施形態による、近接無線通信における接続を行うためのガイド表示について説明する。第４実施形態による無線通信装置１０１の構成は、第３実施形態（図２）と同様である。以下、第４実施形態によるガイド表示について、図４、図６の（ａ）〜（ｆ）、図１０および図１４を用いて説明する。
【００４５】
第４実施形態では、図４に示されるように、無線通信装置１０１のアンテナ部１０２が撮像部１０３のレンズから離れた位置４０２に実装されており、マーク４０１がアンテナ部１０２の位置を示している場合について説明する。また相手無線通信装置も同じ構成であるとする。
【００４６】
図１０は第４実施形態によるガイド表示を説明するフローチャートである。以下、図１０を参照して、無線通信装置１０１のユーザが、データを相手無線通信装置に送信するために無線接続をする場合の、第４実施形態によるガイド処理について説明する。
【００４７】
無線通信装置１０１の動作モードを無線通信モードにするところから、メッセージ５０３（（相手に）近づけてください）を表示するまでの処理（ステップＳ１００１〜Ｓ００９）は、第３実施形態（ステップＳ９０１〜Ｓ９０９）と同様である。
【００４８】
ガイド表示部１０５は、図６の（ｃ）に示されるように、メッセージ５０３（近づけてください）を表示した後、表示するガイド枠５０１の位置および大きさを、図６の（ｃ）〜（ｅ）に示すように徐々に変える（ステップＳ１０１０）。ここで撮像画像の一部を拡大して表示してもよい。また第１実施形態および第２実施形態のように測距部１０４を設け、その測距結果を用いるようにしてもよい。第４実施形態では、アンテナ部１０２の位置はレンズから離れているので、ガイド表示部１０５は、ガイド枠５０１を中央付近から徐々にアンテナ部１０２の位置に近づくように移動させると共に、その大きさを変える。
【００４９】
マーク認識部２０２は、上記処理によって位置がずれ、大きくなったガイド枠５０１の中に相手無線通信装置のマークが入ったかを確認する（ステップＳ１０１１）。入っていない場合、ガイド表示部１０５はメッセージ「ガイド表示をやり直します」を表示部１０７に表示し（ステップ１０１２）、ユーザに通知する。そして、ガイド表示部１０５はガイド枠５０１を元の大きさに戻す（ステップＳ１０１３）。ここでガイド枠の中に入っていない場合はガイド表示の終了を行うように制御してもよい。また、ステップＳ１００５、Ｓ１００７に関して説明したように、ガイドタイマを用いて制御してもよい。即ち、ステップＳ１０１１において、ガイドタイマが満了するまでにマークがガイド枠に入らなかった場合にステップＳ１０１２に処理が進むようにしてもよい。
【００５０】
マーク認識部２０２が、ガイド枠５０１の中にマークが入っていることを確認すると、無線通信装置１０１のアンテナ部１０２と相手無線通信装置のアンテナ部の位置が合ったと判断される。位置が合ったと判断されると、接続処理が行われ（ステップＳ１０１１、Ｓ１０１４）、表示部１０７の表示状態は図６の（ｆ）のようになる。このとき無線通信装置１０１が沈洞式レンズを備えている場合、撮像画面の明度が下がったのを検知して、レンズをしまうように制御してもよい。
【００５１】
なお、上記説明では、ガイド枠５０１を徐々に大きくするものとしたが（ステップＳ１０１０）、図１４のように大きさの異なる複数のガイド枠でガイドすることも可能である。その場合、シールなどで表示部１０７にガイド枠を貼付してもよい。シールの添付によりガイド枠を提示する場合は、無線通信装置１０１は上記制御においてガイド枠の表示を省略することができる。また、相手無線通信装置は、少なくともマークを備えていればガイド可能である。さらに、通信中に何らかの原因によって通信が切断された場合、再度通信を行うためにガイドを行うことも可能である。
【００５２】
なお、上記第１〜第４実施形態において、ガイド表示部１０５及び合成部１０８は、ガイドのための図形と撮像部１０３で撮像して得られた画像の一部を拡大したものとを合成して表示するようにしてもよい。例えば、ガイド表示部１０５及び合成部１０８は、図形の位置が表示部１０７の中央に位置するように前記画像の一部を拡大して表示するようにしてもよい。ユーザは、目標とすべきアンテナの位置を常に表示画面の中央に観察することができるので、操作性が向上する。なお、拡大は撮像画像のみについて行ってもよいし、撮像画像とガイド枠の両方について行ってもよい。撮像画像とガイド枠の両方について拡大を行ったほうが操作性が向上するであろう。なお、上記各実施形態では、無線通信方式として静電結合方式を例に挙げたが、赤外線通信方式、誘導電界を用いる方式等の他の方式であってもよい。特に、本発明は、機器間の位置を正確に合わせることができるので、位置がずれると通信ができなくなる、又は速度が落ちる方式、例えば、近接無線、狭指向性の通信に適している。
【００５３】
＜他の実施形態＞
尚、本発明は、ソフトウェアのプログラムをシステム或いは装置に直接或いは遠隔から供給し、そのシステム或いは装置のコンピュータが該供給されたプログラムコードを読み出して実行することによって前述した実施形態の機能が達成される場合を含む。この場合、供給されるプログラムは実施形態で図に示したフローチャートに対応したコンピュータプログラムである。
【００５４】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００５５】
その場合、プログラムの機能を有していれば、オブジェクトコード、インタプリタにより実行されるプログラム、ＯＳに供給するスクリプトデータ等の形態であっても良い。
【００５６】
コンピュータプログラムを供給するためのコンピュータ読み取り可能な記憶媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００５７】
その他、プログラムの供給方法としては、クライアントコンピュータのブラウザを用いてインターネットのホームページに接続し、該ホームページから本発明のコンピュータプログラムをハードディスク等の記録媒体にダウンロードすることが挙げられる。この場合、ダウンロードされるプログラムは、圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５８】
また、本発明のプログラムを暗号化してＣＤ−ＲＯＭ等の記憶媒体に格納してユーザに配布するという形態をとることもできる。この場合、所定の条件をクリアしたユーザに、インターネットを介してホームページから暗号を解く鍵情報をダウンロードさせ、その鍵情報を使用して暗号化されたプログラムを実行し、プログラムをコンピュータにインストールさせるようにもできる。
【００５９】
また、コンピュータが、読み出したプログラムを実行することによって、前述した実施形態の機能が実現される他、そのプログラムの指示に基づき、コンピュータ上で稼動しているＯＳなどとの協働で実施形態の機能が実現されてもよい。この場合、ＯＳなどが、実際の処理の一部または全部を行ない、その処理によって前述した実施形態の機能が実現される。
【００６０】
さらに、記録媒体から読み出されたプログラムが、コンピュータに挿入された機能拡張ボードやコンピュータに接続された機能拡張ユニットに備わるメモリに書き込まれて前述の実施形態の機能の一部或いは全てが実現されてもよい。この場合、機能拡張ボードや機能拡張ユニットにプログラムが書き込まれた後、そのプログラムの指示に基づき、その機能拡張ボードや機能拡張ユニットに備わるＣＰＵなどが実際の処理の一部または全部を行なう。
【図面の簡単な説明】
【００６１】
【図１】第１、第２実施形態による無線通信装置の構成例を示すブロック図である。
【図２】第３、第４実施形態による無線通信装置の構成例を示すブロック図である。
【図３】第１及び第３実施形態による無線通信装置の外観及び無線通信用のアンテナ（マーク）の配置を示す図である。
【図４】第２及び第４実施形態による無線通信装置の外観及び無線通信用のアンテナ（マーク）の配置を示す図である。
【図５】第１及び第３実施形態におけるガイド表示の例を示す図である。
【図６】第２及び第４実施形態におけるガイド表示の例を示す図である。
【図７】第１実施形態によるガイド処理を説明するフローチャートである。
【図８】第２実施形態によるガイド処理を説明するフローチャートである。
【図９】第３実施形態によるガイド処理を説明するメインフローチャートである。
【図１０】第４実施形態によるガイド処理を説明するフローチャートである。
【図１１】第１及び第３実施形態によるガイド枠の表示の変化を示す図である。
【図１２】第２及び第４実施形態によるガイド枠の表示の変化を示す図である。
【図１３】第１及び第３実施形態におけるガイド枠の他の表示例を示す図である。
【図１４】第２及び第４実施形態におけるガイド枠の他の表示例を示す図である。
【図１】
2010109594.tif 000003
【図２】
2010109594.tif 000004
【図３】
2010109594.tif 000005
【図４】
2010109594.tif 000006
【図５】
2010109594.tif 000007
【図６】
2010109594.tif 000008
【図７】
2010109594.tif 000009
【図８】
2010109594.tif 000010
【図９】
2010109594.tif 000011
【図１０】
2010109594.tif 000012
【図１１】
2010109594.tif 000013
【図１２】
2010109594.tif 000014
【図１３】
2010109594.tif 000015
【図１４】
2010109594.tif 000016